(57)【要約】ＲＦＩＤタグは、メモリ、長距離リーダとの長距離ＲＦ通信をサポートするＲＦトランシーバ、および、安全なリンクを介した短距離リーダとの短距離通信をサポートするインタフェースを有する。ＲＦトランシーバは、タグのメモリ内に格納されたＩＤを長距離リーダに送信するために使用されることが可能であり、インタフェースは、機密の履歴情報を短距離リーダに、安全なリンクを介して送信するために使用されることが可能である。ＩＤは、タグが添付される物品を一意に識別し、履歴情報は、物品についての環境データ、および／または維持データ、および／または出荷データ、および／または在庫データ、および／または製造データなどを提供する。
2005538454.tif 000002
【特許請求の範囲】
【請求項１】
ＲＦＩＤタグであって、
データを格納するように構成されたメモリと、
長距離リーダとの長距離ＲＦ通信をサポートするように構成されたＲＦトランシーバと、
安全なリンクを介した短距離リーダとの短距離通信をサポートするように構成されたインタフェースとを含むＲＦＩＤタグ。
【請求項２】
センサをさらに含み、前記メモリは、前記センサによって感知された状態を格納するように構成される、請求項１に記載のＲＦＩＤタグ。
【請求項３】
前記状態は温度である、請求項２に記載のＲＦＩＤタグ。
【請求項４】
前記状態は湿度である、請求項２に記載のＲＦＩＤタグ。
【請求項５】
前記状態は近接性である、請求項２に記載のＲＦＩＤタグ。
【請求項６】
前記状態は、前記ＲＦＩＤタグに電力を供給するバッテリの電圧レベルである、請求項２に記載のＲＦＩＤタグ。
【請求項７】
前記インタフェースは、安全なハードウェアリンクを介した前記短距離リーダとの短距離通信をサポートするように構成された端末を含む、請求項１に記載のＲＦＩＤタグ。
【請求項８】
前記インタフェースは、安全な磁気リンクを介した前記短距離リーダとの短距離通信をサポートするように構成された、磁気インタフェースを含む、請求項１に記載のＲＦＩＤタグ。
【請求項９】
前記インタフェースは、安全な短距離ＲＦリンクを介した前記短距離リーダとの短距離ＲＦ通信をサポートするように構成された、短距離ＲＦトランシーバを含む、請求項１に記載のＲＦＩＤタグ。
【請求項１０】
ＲＦＩＤタグ内に格納されたデータを送信する方法であって、
第１の通信リンクを介して、ＩＤをメモリから送信するステップであって、前記ＩＤは、前記ＲＦＩＤタグが添付される物品を識別し、前記第１の通信リンクは長距離ＲＦリンクを含み、前記ＲＦＩＤタグは前記メモリを含むステップと、
第２の通信リンクを介して、履歴情報を前記メモリから送信するステップであって、前記履歴情報は、前記物品の履歴に関係付けられた情報を含み、前記第２の通信リンクは安全な短距離リンクを含むステップとを含む方法。
【請求項１１】
前記履歴情報は、センサによって感知された状態を含む、請求項１０に記載の方法。
【請求項１２】
前記状態は温度を含む、請求項１１に記載の方法。
【請求項１３】
前記状態は湿度を含む、請求項１１に記載の方法。
【請求項１４】
前記状態は近接性を含む、請求項１１に記載の方法。
【請求項１５】
前記状態は、前記ＲＦＩＤタグに電力を供給するバッテリの電圧レベルを含む、請求項１１に記載の方法。
【請求項１６】
前記安全な短距離リンクは安全なハードウェアリンクを含む、請求項１０に記載の方法。
【請求項１７】
前記安全な短距離リンクは安全な磁気リンクを含む、請求項１０に記載の方法。
【請求項１８】
前記安全な短距離リンクは安全な短距離ＲＦリンクを含む、請求項１０に記載の方法。
【請求項１９】
前記履歴情報は、前記物品に関係付けられた出荷情報を含む、請求項１０に記載の方法。
【請求項２０】
前記履歴情報は、前記物品に関係付けられた在庫情報を含む、請求項１０に記載の方法。
【請求項２１】
前記履歴情報は、前記物品に関係付けられた製造情報を含む、請求項１０に記載の方法。
【請求項２２】
前記履歴情報は、前記物品に関係付けられた維持、修理およびサービス日付の情報を含む、請求項１０に記載の方法。
【請求項２３】
タグ内に格納されたデータを送信する方法であって、
ＩＤをメモリから送信するステップであって、前記ＩＤは、前記タグが添付される物品を識別し、前記タグは前記メモリを含むステップと、
履歴情報を前記メモリから送信するステップであって、前記履歴情報は、前記物品の維持履歴に関係付けられた前記維持の情報を含むステップとを含む方法。
【請求項２４】
前記履歴情報は、センサによって感知された状態をさらに含む、請求項２３に記載の方法。
【請求項２５】
前記状態は温度を含む、請求項２４に記載の方法。
【請求項２６】
前記状態は湿度を含む、請求項２４に記載の方法。
【請求項２７】
前記状態は近接性を含む、請求項２４に記載の方法。
【請求項２８】
前記状態は、前記ＲＦＩＤタグに電力を供給するバッテリの電圧レベルを含む、請求項２４に記載の方法。
【請求項２９】
前記状態は化学物質の存在を含む、請求項２４に記載の方法。
【請求項３０】
履歴情報を送信する前記ステップは、安全な短距離リンクを介して前記履歴情報を送信するステップを含む、請求項２３に記載の方法。
【請求項３１】
前記安全な短距離リンクは安全なハードウェアリンクを含む、請求項３０に記載の方法。
【請求項３２】
前記安全な短距離リンクは安全な磁気リンクを含む、請求項３０に記載の方法。
【請求項３３】
前記安全な短距離リンクは安全な短距離ＲＦリンクを含む、請求項３０に記載の方法。
【請求項３４】
ＩＤを送信する前記ステップは、長距離ＲＦリンクを介して前記ＩＤを送信するステップを含む、請求項２３に記載の方法。
【請求項３５】
履歴情報を送信する前記ステップは、安全な短距離リンクを介して前記履歴情報を送信するステップを含む、請求項３４に記載の方法。
【請求項３６】
前記安全な短距離リンクは安全なハードウェアリンクを含む、請求項３５に記載の方法。
【請求項３７】
前記安全な短距離リンクは安全な磁気リンクを含む、請求項３５に記載の方法。
【請求項３８】
前記安全な短距離リンクは安全な短距離ＲＦリンクを含む、請求項３５に記載の方法。
【請求項３９】
前記履歴情報は、前記物品に関係付けられた出荷情報をさらに含む、請求項２３に記載の方法。
【請求項４０】
前記履歴情報は、前記物品に関係付けられた製造情報をさらに含む、請求項２３に記載の方法。
【請求項４１】
前記履歴情報は、前記物品に関係付けられた在庫情報を含む、請求項２３に記載の方法。
【発明の詳細な説明】
【技術分野】
【０００１】
本発明は、物品に適切に添付することができ、それが添付される物品についての情報を格納することができるタグに関する。
【背景技術】
【０００２】
様々なラベルが物品に添付されており、物品を他の物品と区別することができるようになっている。例えば、バーコードラベルが食料品雑貨に添付され、物品を自動的に識別するため、および、物品が購入されるときに商品の価格を登録するために、レジでスキャンされる。
【０００３】
バーコードラベルはまた、在庫の管理および監視でも使用されている。したがって、物品が保管エリアに入り、このエリア中で移動し、このエリアから出るときに物品を追跡するために、これらのバーコードがスキャンされる場合がある。また、物品に関する様々なコンピュータ記録にアクセスするために、物品に添付されたバーコードを読み取ることも知られている。
【０００４】
しかし、バーコードラベルにはいくつかの欠点がある。例えば、バーコードが読み取られるときにアクセスされる、コンピュータで格納された記録は、対応する物品と共に移動しない。したがって、バーコードラベルが添付される物品がコンピュータから遠隔地にある場合、その物品に関する記録に、必要な場合に即時アクセスすることはできない。
【０００５】
また、バーコードラベルをリモートで読み取ることはできない。そのため、現在保管エリア内にある物品の棚卸しをすることが望まれる場合、作業者は、どの物品が現在保管エリア内にあるかを決定するために、各物品上の各ラベルを一度に１つずつ物理的にスキャンしなければならない。このようなスキャンには、物品の場所で作業者が物理的に存在することが必要であり、非常に時間がかかる。加えて、バーコードラベルをリモートで読み取ることはできないので、バーコードラベルが添付された物品が不適切に保護エリアから取り出される場合に検出することが可能であるセキュリティデバイスとして、バーコードラベルを使用することはできない。
【０００６】
その上に物品が保管されるパレットに、メモリストレージデバイスを提供することが知られている。次いで、メモリストレージデバイスは、物品を構成する構成要素についての在庫情報を保持するために使用される場合がある。メモリストレージデバイスはまた、テストなど、物品上で実行される製造工程の結果を保持することもできる。パレットは読み書き端末を備えることができ、メモリストレージデバイス内に含まれた情報を読み取ることができるようにし、また、情報をメモリストレージデバイス内に格納するために書き込むことができるようにする。
【０００７】
同様に、メモリストレージデバイスを有するＲＦＩＤタグを、半導体ウェハーを保持するカセット上に提供することが知られている。次いで、ＲＦＩＤタグのメモリストレージデバイスは、工場ＩＤ番号、カセットＩＤコード、ロットＩＤ、プラント注文番号、現在のオペレーションおよび次のオペレーション、現在の数量（すなわち、ウェハー数）、存続期間内のカセットループ総数、ベークアウト以来のカセットループ数、および、製造過程フラグ（例えば、製造過程または待機中）を含む、情報のページを格納するために使用される場合がある。
【０００８】
このように、記録はより密接に物品に関連付けられる場合がある。しかし、これらの記録はなお物品自体には格納されず、物品がパレットまたはカセットから取り出される場合、これらの物品に関する記録には容易にアクセスされないようになる。
【０００９】
また、無線周波数識別（ＲＦＩＤ）タグを物品自体に添付することも知られている。ＲＦＩＤタグは、バーコードラベルを読み取ることができるのと同じように読み取ることができる。しかし、バーコードラベルとは異なり、ＲＦＩＤタグの読み取りには作業者の物理的な存在は必要ではなく、これは、その代わりにタグをリモートで読み取ることができるからである。したがって、棚卸しをより素早く行うことができ、これは、作業者がタグを読み取るために保管エリアまたは他のエリアを歩き回ることが必要とされないからである。また、ＲＦＩＤタグをリモートで読み取ることができるので、ＲＦＩＤタグをセキュリティデバイスとして使用することができる。したがって、何者かが、ＲＦＩＤタグが添付された物品を保護エリアからひそかに取り出そうと試みる場合、リモートリーダはタグを感知し、適切なアラームを提供することができる。
【００１０】
ＲＦＩＤタグを、ＲＦＩＤタグが添付されるコンピュータと組み合わせて使用することが知られている。このようなＲＦＩＤタグは、コンピュータ用の一意の識別（例えば、製造サイトコードおよび製造番号）、コンピュータの説明（例えば、型番、製造番号および製造日）、および、コンピュータに関係付けられたセキュリティデータ（例えば、取り外し許可および所定の通信シーケンス）を格納する。しかし、これらのＲＦＩＤタグは、データの転送および格納についてホストコンピュータに依拠する。
【００１１】
さらに、ＲＦＩＤタグなどのトランシーバが物品自体に添付されており、トランシーバは、対応する物品に影響を及ぼす可能性のある環境状態を感知するためのセンサを含んでいる。トランシーバのメモリは、センサによって感知された環境状態を格納する。しかし、これらのタグは他の情報をほとんど格納しない。
【００１２】
このように、これまでに使用されたＲＦＩＤタグのいずれも、ＲＦＩＤタグが添付される品物の履歴に関する正確な情報を格納することができなかった。例えば、知られているＲＦＩＤタグは、対応する物品に関係付けられた在庫履歴、出荷の積荷目録、および維持についての情報を格納しない。また、安全でないリンクおよび安全なリンクの両方が、知られているタグを読み取るために提供されない。例えば、長距離ＲＦリーダ（すなわち、安全でないリンク）を使用して、ＲＦＩＤタグ内に格納されたＩＤを読み取り、それにより、ＲＦＩＤタグの存在およびおそらくＲＦＩＤタグが添付される品目を検証することはしばしば有用であるが、長距離ＲＦリーダを使用して、タグ内に格納された他の情報を読み取ることは望ましくない場合があり、これは、長距離送信はより容易にインターセプトされるからである。
【発明の開示】
【発明が解決しようとする課題】
【００１３】
本発明は、従来技術のタグのこれらまたは他の欠陥の１つまたは複数を克服する。
【課題を解決するための手段】
【００１４】
本発明の一態様によれば、ＲＦＩＤタグは、データを格納するメモリ、長距離リーダとの長距離ＲＦ通信をサポートするＲＦトランシーバ、および、安全なリンクを介した短距離リーダとの短距離通信をサポートするインタフェースを含む。
【００１５】
本発明のもう１つの態様によれば、ＲＦＩＤタグ内に格納されたデータを送信する方法は以下を含み、すなわち、第１の通信リンクを介して、ＩＤをメモリから送信することであって、ＩＤは、ＲＦＩＤタグが添付される物品を識別し、第１の通信リンクは長距離ＲＦリンクを含み、ＲＦＩＤタグは前記メモリを含むこと、および、第２の通信リンクを介して、履歴情報をメモリから送信することであって、履歴情報は、物品の履歴に関係付けられた情報を含み、第２の通信リンクは安全な短距離ＲＦリンクを含むことを含む。
【００１６】
本発明のさらにもう１つの態様によれば、タグ内に格納されたデータを送信する方法は以下を含み、すなわち、ＩＤをメモリから送信することであって、ＩＤは、タグが添付される物品を識別し、タグはメモリを含むこと、および、履歴情報を前記メモリから送信することであって、履歴情報は、物品の維持履歴に関係付けられた維持情報を含むことを含む。
【００１７】
これらおよび他の特徴および利点は、図面と共に解釈されるときに本発明の詳細な考察からより明らかになるであろう。
【発明を実施するための最良の形態】
【００１８】
図１に例示するように、タグ付けシステム１０は、長距離リーダ１２、短距離リーダ１４、およびＲＦＩＤタグ１６を含む。長距離リーダ１２はアンテナ１８を含み、ＲＦＩＤタグ１６も同様にアンテナ２０を含む。アンテナ１８および２０は、長距離ＲＦリンクを長距離リーダ１２とＲＦＩＤタグ１６の間で確立し、長距離リーダ１２がＲＦＩＤタグ１６のメモリ内に格納された識別をリモートで読み取ることができるようにする。長距離リーダ１２の範囲は数百ｍ（数百フィート）ほどにすることができる。例えば、長距離リーダ１２は、約１５２．４ｍ（約５００フィート）の期待最大範囲を有することができる。
【００１９】
短距離リーダ１４とＲＦＩＤタグ１６の間の安全なリンク２２は、短距離リーダ１４が情報をＲＦＩＤタグ１６から、より安全な方法で読み取ることを可能にする。すなわち、長距離リーダ１２がＲＦＩＤタグ１６内に格納されたある情報を読み取ることは望ましくない場合があり、これは長距離ＲＦ通信が、戦略的に配置された、長距離リーダ１２に類似の不正リーダによってインターセプトされる可能性があるからである。したがって、安全なリンク２２は、ＲＦＩＤタグ１６上に格納される可能性のあるより注意を要する（機密の）情報を不正に得ることにおける困難さを増す。
【００２０】
安全なリンク２２を図１において、短距離リーダ１４とＲＦＩＤタグ１６の間のハードワイヤリンクとして示す。したがって、ＲＦＩＤタグ１６上に格納されたより機密の情報を、物理的相互接続を短距離リーダ１４とＲＦＩＤタグ１６の間で確立することによって、読み取ることができる。別法として、安全なリンク２２は、非接触スマートカードによって提供されるもののような、制限された距離の磁気リンクであってもよい。なおさらに別法として、安全なリンク２２は、非常に制限された距離のＲＦリンクであってもよい。他の代替物は当業者には想起されよう。安全なリンク２２を介した短距離リーダ１４の期待最大範囲は、例えば、６０．９６ｃｍ（２フィート）未満であってもよく、１５．２４ｃｍ（６インチ）と４５．７２ｃｍ（１８インチ）の間であってもよい。
【００２１】
ＲＦＩＤタグ１６の一実施形態をさらに詳細に図２に示す。ＲＦＩＤタグ１６は、アンテナ２０とマイクロプロセッサ３２の間に結合されたＲＦトランシーバ３０を含む。したがって、ＲＦＩＤタグ１６は長距離リーダ１２との通信を送受信することができる。
【００２２】
ＲＦＩＤタグ１６はまた、マイクロプロセッサ３２と短距離リーダ１４の間のインタフェース３４をも含む。したがって、ＲＦＩＤタグ１６は短距離リーダ１４との通信を送受信することができる。安全なリンク２２がハードワイヤリンクである場合、インタフェース３４は単に、短距離リーダ１４の対応するプラグに接続可能であるプラグでよい。安全なリンク２２がＲＦリンクである場合、インタフェース３４は、ＲＦトランシーバ３０に類似であるが好ましくははるかに短い範囲を有するＲＦトランシーバでよい。安全なリンク２２が磁気リンクである場合、インタフェース３４は単に、短距離リーダ１４と磁気的にインタフェースすることができる磁気エミッタ／センサでよい。
【００２３】
ＲＦＩＤタグ１６はまた、マイクロプロセッサ３２に結合されたメモリ３６も含む。メモリ３６はＲＦＩＤタグ１６のＩＤを格納し、このＩＤは長距離リーダ１２によって、アンテナ１８および２０、ＲＦトランシーバ３０ならびにマイクロプロセッサ３２を通じて読み取られることが可能である。メモリ３６はまた、短距離リーダ１４によって、安全なリンク２２、インタフェース３４およびマイクロプロセッサ３２を通じて供給された情報をも格納する。
【００２４】
この情報は、例えば、ＲＦＩＤタグ１６が添付される物品の在庫履歴を含むことができる。したがって、物品が在庫に入った日付、物品が在庫から出た日付、物品が在庫内にあった時間の長さ、在庫でのいかなる出入りの動き、および類似の情報がメモリ３６内に格納される場合がある。
【００２５】
メモリ３６内に格納された情報はまた、物品がいつ誰に出荷されるべきであるかを示す出荷の積荷目録をも含む場合がある。また、異なる宛先を有する個々の物品が同じコンテナ内で出荷される場合、コンテナに添付されたＲＦＩＤタグを以下でコンテナタグと呼び、このコンテナタグをコンテナに添付することができる。このコンテナタグは、コンテナ内の各物品の識別および宛先を格納するように構成される場合がある。物品がコンテナから取り出されるとき、コンテナタグ内に格納された情報が更新されて、どの物品が取り出されたか、物品が取り出された場所、および、物品を取り出した作業者の識別を示すようにすることが可能である。
【００２６】
メモリ３６内に格納された情報はさらに、対応する物品の維持および／または修理履歴を示す、維持、修理およびサービス日付の記録を含むことができる。
物品に関係付けられた他の情報が同様にメモリ３６内に格納される場合がある。例えば、メモリ３６内に格納された情報の保全性は、格納された情報への修正、および、修正を行う作業者の識別の記録を保持することによって、保証されることが可能である。もう１つの例として、物品の製造に関係付けられた記録がタグのメモリ内に格納される場合がある。
【００２７】
したがって、物品についてのいかなる情報も、リモートコンピュータシステム内または用紙上ではなく、物品と共に格納することができる。
記録は、対応する物品に添付されたＲＦＩＤタグ１６によって搬送されるので、ＲＦＩＤタグ１６は、物品の存続中の履歴の用紙またはコンピュータの記録を維持する必要性をなくし、ＲＦＩＤタグ１６は、記録の紛失または置き間違えの問題をなくし、ＲＦＩＤタグ１６は、物品においてアクセスおよび／または操作する前に記録を検索するための要件をなくすことによって、操作効率を改善する。
【００２８】
図２のように、ＲＦＩＤタグ１６はバッテリ３８を含み、バッテリ３８は、電力をＲＦトランシーバ３０、マイクロプロセッサ３２、インタフェース３４（必要な場合）およびメモリ３６に供給するように結合される。
【００２９】
複数のセンサがマイクロプロセッサ３２に結合される。これらのセンサには例えば、温度センサ４０、湿度センサ４２、および他のセンサ４４が含まれ、他のセンサ４４は、圧力センサ、近接センサ、電磁センサ、光学センサ、機械センサ、エアロゾル化学センサなどの化学センサ、および／または同様のものなどである。マイクロプロセッサ３２はこれらのセンサからの情報をメモリ３６内に格納し、この情報はメモリ３６から短距離リーダ１４によって読み取られることが可能である。
【００３０】
マイクロプロセッサ３２はまた、バッテリ３８の電圧レベルを感知するためにも結合される。したがって、マイクロプロセッサ３２はバッテリ３８の電圧レベルをメモリ３６内に格納し、この情報はメモリ３６から短距離リーダ１４によって読み取られることが可能である。したがって、短距離リーダ１４によって読み取られるようなバッテリ３８の電圧レベルが、バッテリ３８が充電または交換を必要とすることを示す場合、適切な是正措置を取ることが可能である。
【００３１】
図３のように、ブロック５０によって判断されるように、ＲＦＩＤタグ１６がそのＩＤを長距離リーダ１２に送信するための時間である場合、ブロック５２はこのＩＤをＲＦトランシーバ３０に提供し、ＲＦトランシーバはこのＩＤを、アンテナ２０を用いて送信する。ブロック５０で、マイクロプロセッサ３２は例えば、ＲＦトランシーバ３０によって提供された、ポーリングメッセージがＲＦトランシーバ３０によって長距離リーダ１２から受信されたことを示す割り込みまたは他の信号に、応答することができる。別法として、または加えて、マイクロプロセッサ３２は単に、タイマーによって提供された、タグのＩＤを送信するための時間であることを示す割り込みまたは他の信号に応答することができる。
【００３２】
ブロック５４によって判断されるように、ＲＦＩＤタグ１６がメモリ３６内に格納された情報を短距離リーダ１４によって送信するための時間である場合、ブロック５６はこの情報をインタフェース３４に提供し、インタフェース３４はこの情報を安全な回線２２に送信する。ブロック５４で、マイクロプロセッサ３２は例えば、短距離リーダ１４によって安全なリンク２２を介して提供された、短距離リーダ１４が情報のすべてまたは選択された部分を読み取る準備ができていることを示す割り込みまたは他の信号に、応答することができる。別法として、または加えて、マイクロプロセッサ３２は単に、タイマーによって提供された、情報の全部または一部送信するための時間であることを示す割り込みまたは他の信号に応答することができる。
【００３３】
ブロック５８によって判断されるように、ＲＦＩＤタグ１６がメモリ３６内に短距離リーダ１４によって提供された情報を格納するための時間である場合、ブロック６０はメモリ３６内にインタフェース３４によって受信された情報を格納する。ブロック５８で、マイクロプロセッサ３２は例えば、安全なリンク２２を介して受信されたメッセージに基づいて、インタフェース３４によって提供された、短距離リーダ１４がメモリ３６内に格納するための情報を有することを示す割り込みまたは他の信号に、応答することができる。
【００３４】
ブロック６２によって判断されるように、ＲＦＩＤタグ１６がメモリ３６内にセンサ４０〜４４によって提供されたセンサデータを格納するための時間である場合、ブロック６４は適切なように、メモリ３６内にセンサ４０〜４４から受信されたセンサデータを格納する。ブロック６２で、マイクロプロセッサ３２は例えば、マイクロプロセッサ３２を、センサデータ入力端末上のデータを周期的に読み取り、このデータをメモリ３６内に格納するようにトリガーする、タイマー割り込みまたは他の信号に、応答することができる。マイクロプロセッサはまた、メモリ３６内に、センサデータが読み取られた時間を格納することもできる。
【００３５】
本発明のある修正を上記で開示した。他の修正は、本発明の技術分野の当業者には想起されよう。例えば、上述の長距離リーダ１２の機能は、情報をＲＦＩＤタグ１６から読み取ることに制限された。しかし、長距離リーダ１２はまた、情報をＲＦＩＤタグ１６に書き込むように構成されることも可能である。
【００３６】
また、ＲＦＩＤタグ１６を図２でマイクロプロセッサベースのタグとして示すが、ＲＦＩＤタグ１６はその代わりに１つまたは複数のデジタル回路要素、および／またはプログラマブルロジックアレイ、および／または専用集積回路などを含むことができる。
【００３７】
さらに、上述のように、長距離リーダ１２はＲＦＩＤタグ１６のＩＤを読み取り、短距離リーダ１４はＲＦＩＤタグ１６のメモリ３６内に格納されたすべての他の情報およびデータを読み取る。別法として、または追加として、短距離リーダ１４は、ＲＦＩＤタグ１６のＩＤを読み取るように構成されることも可能であり、長距離リーダ１２は、メモリ３６内に格納された情報およびデータの一部または全部を読み取るように構成されることも可能であるが、一方安全なリンク２２を使用してより機密の情報およびデータをメモリ３６から読み取ることが可能である。
【００３８】
また、上述の長距離リーダ１２は数百ｍ（数百フィート）の範囲を有し、約１５２．４ｍ（約５００フィート）の期待範囲を有することができた。しかし、この範囲は応用例および／または他の要因に応じてより長く、またはより短くすることができる。同様に、短距離リーダ１４について上記で与えられた範囲を、上述以外にすることができる。
【００３９】
したがって、本発明の説明は例示的のみであると解釈されるべきであり、当業者に本発明を実行する最良の形態を教示するためのものである。詳細は、本発明の精神から逸脱することなく大幅に変わる場合があり、付属の特許請求の範囲の範囲内であるすべての修正の排他的使用は留保される。
【図面の簡単な説明】
【００４０】
【図１】本発明の一実施形態によるタグ付けシステムを例示する図である。
【図２】図１のタグ付けシステムで使用される可能性のあるタグの追加の詳細を例示する図である。
【図３】図１および２で例示されたタグのオペレーションを示す流れ図である。
【図１】
2005538454.tif 000003
【図２】
2005538454.tif 000004
【図３】
2005538454.tif 000005
【国際調査報告】
2005538454.tif 000006
2005538454.tif 000007
2005538454.tif 000008
2005538454.tif 000009